(57)【要約】      （修正有）【課題】生涯収入と支出を計算し、必要な保険を選択するための計算用シートを提供する。【解決手段】それぞれ計算式欄又は記入欄を含む、現状記入シート、遺族年金給付可否早見表、遺族厚生年金計算用シート、男性死亡時遺族年金記入シート、女性用生涯予定支出計算用シート、女性用予定収入計算用シート、死亡保険の希望記入表が複数のシートに亘ってまとめる。現状記入シート、遺族厚生年金計算シート、男性死亡時遺族年金記入シートにより計算した金額を女性用生涯予定収入計算用シートに記入することで生涯予定収入を計算し、現状記入シートに記載の金額の一部を女性用生涯予定支出計算用シートに記入することにより、生涯予定支出を計算することができる。生涯予定収入から生涯予定支出を差し引いた金額が必要な保険金額となり、この金額を希望記入表に記入することにより、適切な保険を調べることができる。【選択図】図１
0003184870.tif 000002
【実用新案登録請求の範囲】
【請求項１】
複数枚のシートに家族構成記入欄、現在の収入記入欄、貯蓄額記入欄、年間貯蓄額計算欄、ローン記入欄、月毎支出記入欄、年毎支出記入欄、の各欄を含むことを特徴とする現状記入シート。
【請求項２】
国民年金被保険者の各号ごとに分かれた遺族年金給付可否早見表であって、
上記早見表は、男性用と女性用に分かれており、１８歳未満の未婚の子の有無、配偶者の有無、配偶者の年齢、同居親の年齢、保険料納付期間、の各項目欄と矢印からなるフローチャートによって表されたことを特徴とする、遺族年金給付可否早見表。
【請求項３】
本体シートに、遺族厚生年金計算欄を有し、上記遺族厚生年金計算欄に老齢厚生年金予想金額記入欄と、予想厚生遺族年金記入欄とを、含むこと特徴とする遺族厚生年金計算用シート。
【請求項４】
本体シートに、上から順に、遺族基礎年金額記入欄と、遺族厚生年金額記入欄と、母親年齢記入欄と、子年齢記入欄とを、有する遺族年金記入シートであって、
上記母親年齢記入欄と、国民年金額記入欄は、子の年齢が１８歳時となった場合と対応していることを特徴とする、男性死亡時遺族年金記入シート。
【請求項５】
本体シートに、母親平均余命記入欄と、父親死亡時住居費計算欄と、父親死亡時生活費計算欄と、教育費記入欄と、自動車旅行代等計算欄と、葬儀代記入欄と、合計金額記入欄とを、含むことを特徴とする、女性用生涯予定支出計算用シート。
【請求項６】
本体シートに、遺族年金計算欄と、老齢基礎年金記入欄と、父親死亡退職金記入欄と、母親収入記入欄と、貯蓄額記入欄と、その他収入記入欄と、合計金額記入欄とを、含むことを特徴とする、女性用生涯予定収入計算用シート。
【請求項７】
縦方向及び横方向の罫線からなる表で、左端の列に、被保険者、目的、保険の種類、保険期間、保険金、保険料の支払い方法及び期間、検討保険会社及び保険料、の各見出しが上から順に記載され、各見出しに対応した記載欄又は選択欄を有することを特徴とする死亡保険の希望記入表。
【請求項８】
請求項１乃至７記載の複数のシートからなる、必要保険計算用シート。
【考案の詳細な説明】
【技術分野】
【０００１】  本考案は、適切な生命保険の種別、必要金額を計算するための計算用シートに関するものである。
【背景技術】
【０００２】  生命保険は、加入する年金機構や労働条件等の様々な要因によって適切に加入を検討すべきであるが、加入を決定すべき要因が多数かつ複雑であり、その計算には多くの時間と労力を有する。
【考案の概要】
【考案が解決しようとする課題】
【０００３】  本考案は、個々の事情に合わせて、適切な生命保険の種別、必要金額を計算することを目的とする。
【課題を解決するための手段】
【０００４】  本考案は、家族構成、加入している年金の種別から遺族年金の金額を予測し、現状の収入、貯蓄、支出と予測した遺族年金の金額から、生涯支出と生涯収入を概算できる。この計算の結果、得られた金額によって適切な生命保険の種別や必要な保険金額を知ることができることを特徴とする。
【考案の効果】
【０００５】  必要事項を記入し、計算式によって計算することにより、簡単に遺族年金額を概算でき、生涯支出と生涯収入も概算できる。このことにより、必要な生命保険の種別、保険金額を知ることができ、無駄な生命保険の加入を防止できる。
【図面の簡単な説明】
【０００６】
【図１】  第１考案の現状記入シートの１頁目の全体正面図である。
【図２】  第１考案の現状記入シートの２頁目の全体正面図である。
【図３】  第１考案の現状記入シートの３頁目の全体正面図である。
【図４】  第１考案の現状記入シートの４頁目の全体正面図である。
【図５】  第２考案の男性死亡時遺族年金給付可否早見表４８の全体正面図である。
【図６】  第２考案の女性死亡時遺族年金給付可否早見表５４の全体正面図である。
【図７】  第３考案の遺族厚生年金計算用シートの全体正面図である。
【図８】  第４考案の男性死亡時遺族年金記入シートの全体正面図である。
【図９】  第５考案の女性用生涯予定支出計算用シートの全体正面図である。
【図１０】  第６考案の女性用生涯予定収入計算用シートの全体正面図である。
【図１１】  第７考案の死亡保険の希望記入表の全体正面図である。
【考案を実施するための形態】
【０００７】  以下図示された実施例に基づいて説明する。
【実施例】
【０００８】  第１考案は、複数頁のシートに現状の家族構成、収入、支出、貯蓄、ローンをまとめて記入し、一元管理できることを特徴とする。実施例においては４頁に亘って表示しているが、４頁を２つに分けて２枚のシートに表示することも可能である。各記入欄の配置は用途に合わせて自由に変更することが可能である。以下、各欄及び使用方法について説明する。【０００９】  家族構成記入欄２は、現状の家族構成を記入する欄であり、氏名、生年月日、年齢、職業、の各記入欄を含む。現在の収入記入欄３は、家庭単位での年収を記入する欄であり、税込年収、月毎手取金額、賞与、年間手取合計記入欄４、年間手取総合計記入欄５を含む。ここで手取金額とは、収入から年金保険料、健康保険料、介護保険料、雇用保険料、所得税、住民税を除いた金額をいう。年間手取合計記入欄４には月毎手取金額を１２倍した金額と賞与金額とを合計した金額を記入する。年間手取総合計記入欄５には、年間手取合計記入欄４の合計を記入する。貯蓄額記入欄６は、家庭の資産を記入する欄であり、氏名、預金額、積立資金、債券、投資信託、外貨建て資産、の各見出し欄とそれぞれに対応した金額記入欄を含む。年間貯蓄額計算欄７は、１年間の貯蓄金額を記入する欄であり、月毎貯蓄額記入欄８、賞与貯蓄記入欄９、年間貯蓄額記入欄１０を含む。月毎貯蓄額記入欄８に記入した金額を１２倍した金額と、賞与貯蓄記入欄９に記入した金額とを合計した金額を年間貯蓄額記入欄１０に記入する。ローン状況記入欄１１は、現在の借入金の状況を記入する欄であり、ローン種別、借入時期、借入期間、借入金額及び金利、の各記入欄と、総返済額計算欄１２と、利息負担額計算欄１３と、を含む。総返済額計算欄１２は、年間返済額記入欄１４、借入期間記入欄１５及び総返済額記入欄１６を含み、利息負担額計算欄１３は、総返済額記入欄１７、当初借入金額記入欄１８及び利息負担額記入欄１９を含む。年間返済額記入欄１４と借入期間記入欄１５に数値を記入し、計算式に代入の結果、得られた金額を総返済額記入欄１６に記入する。【００１０】  月毎支出記入欄２０は、月単位の支出記入欄２１と年単位の支出記入欄２２に分けて記入できるようになっており、月単位の支出記入欄２１には、必ず毎月かかる支出を記入し、年単位の支出記入欄には、それ以外の支出金額を記入する。月単位の支出記入欄２１には、生活費記入欄２３、水道光熱費記入欄２４、通信費記入欄２５、交通費記入欄２６、健康医療費記入欄２７、教育費記入欄２８、住居費記入欄２９、その他ローン代記入欄３０、保険料記入欄３１及びその他金額記入欄３２を含み、これらはすべて合計金額記入欄を有する。生活費記入欄２３には、食費、雑費及び小遣い費等の各記入欄が、水道光熱費記入欄２４には、電気代、ガス代及び水道代の各記入欄が、通信費記入欄２５には、電話代と新聞代等の各記入欄が、交通費記入欄２６には、電車代とガソリン代の各記入欄が、健康医療費記入欄２７には、医療費と健康維持費の各記入欄が、教育費記入欄２８には、学校教育費と塾代等の各記入欄が、住居費記入欄２９には、家賃と駐車場代の各記入欄が、その他ローン代記入欄３０には、カーローン代と奨学金返済金額の各記入欄が、保険料記入欄３１には、氏名と保険料の各記入欄が、それぞれ含まれる。年単位の支出記入欄には、健康医療費記入欄３２−２、教育費記入欄３３、住居費記入欄３４、その他ローン記入欄３５、保険料記入欄３６及びその他金額記入欄３７を含み、それぞれの記入欄は、月単位の支出記入欄２１と同様の各記入欄を含む。年毎支出記入欄３８は１年間の合計支出を記入する欄であり、生活費記入欄３９、教育費記入欄４０、住居費記入欄４１、保険料記入欄４２、その他ローン記入欄４３、その他金額記入欄４４、使途明瞭金額記入欄４５、使途不明金額記入欄４６及び年間支出合計金額記入欄４７を含む。生活費記入欄２３、水道光熱費記入欄２４、通信費記入欄２５、交通費記入欄２６及び健康医療費記入欄２７、の各合計金額を１２倍した金額と健康医療費記入欄３２の合計金額を生活費記入欄３９に、教育費記入欄２８の合計金額を１２倍した金額と教育費記入欄３３との合計金額を教育費記入欄４０に、住居費記入欄２９の合計金額を１２倍した金額と住居費記入欄３４との合計金額を住居費記入欄４１に、保険料記入欄３１の合計金額を１２倍した金額と保険料記入欄３６との合計金額を保険料記入欄４２に、その他ローン代記入欄３０の合計金額を１２倍した金額とその他ローン記入欄３５との合計金額をその他ローン記入欄４３に、その他金額記入欄３２の合計金額を１２倍した金額とその他金額記入欄３７との合計金額をその他金額記入欄４４に、生活費記入欄３９、教育費記入欄４０、住居費記入欄４１、保険料記入欄４２、その他ローン記入欄４３及びその他金額記入欄４４の合計金額を使途明瞭金額記入欄４５に、それぞれ記入する。年間手取総合計記入欄５に記入した金額から年間貯蓄額記入欄１０と使途明瞭金額記入欄４５に記入した金額の和を引いた金額を使途不明金額記入欄４６に記入する。使途明瞭金額記入欄４５と使途不明金額記入欄４６との合計金額が年間支出合計金額となり、年間支出合計金額記入欄４７に記入する。【００１１】  第２考案は、遺族年金の給付の可否を、死亡者が男性の場合と女性の場合に分けて、フローチャートによって表した、遺族年金給付可否早見表である。遺族年金給付の可否だけでなく年金の種別まで判別できる。以下、各欄及び使用方法について説明する。【００１２】  男性死亡時遺族年金給付可否早見表４８は、２号被保険者用フローチャート４９、１号被保険者用フローチャート５０から成る。ここで２号被保険者用フローチャートとは、一般的な会社員又は公務員の加入する国民年金第２号被保険者が利用するフローチャートを意味し、１号被保険者用フローチャートとは、自営業者の多くが加入する国民年金第１号被保険者が利用するフローチャートを意味する。死亡者が国民年金３号被保険者である場合に、遺族年金をもらえる場合はないため、フローチャートは２種類のみとなる。２号被保険者用フローチャート４９では、死亡者に１８歳未満の未婚の子の有無によって進む項目欄が異なり、上記子がある場合には、死亡者の妻の有無によって進む項目欄が変わる。上記子がない場合には、妻の有無によって進む項目欄が変わり、さらに妻がある場合には、妻の年齢によって進む項目欄が異なる。上記子がなく、さらに妻がない場合には、同居する親の��齢によって進む項目欄が変わる。フローチャートの最後の項目欄５２には、遺族年金給付の可否、もらえる遺族年金の種別が記載されている。１号被保険者用フローチャート５０では、１８歳未満の未婚の子の有無によって進む項目欄が異なり、上記子がある場合には、妻の有無によって進む項目が異なる。上記子がない場合には、保険料納付期間によって進む項目が異なる。フローチャートの最後の項目欄５３には、遺族年金給付の可否、もらえる遺族年金の種別が記載されている。女性死亡時遺族年金給付可否早見表５４は、男性死亡時遺族年金給付可否早見表と同様に２号被保険者用フローチャートと１号被保険者用フローチャートから成る。２号保険者用フローチャートは、死亡者に１８歳未満の未婚の子の有無によって進む項目欄が異なり、上記子がある場合には、死亡者の夫の有無によって進む項目欄が異なる。上記子がない場合には、夫又は同居の親の年齢によって進む項目欄が異なる。フローチャートの最後の項目欄には、遺族年金給付の可否、もらえる遺族年金の種別が記載されている。【００１３】  第３考案は、ねんきん定期便に記載されている事項から、遺族厚生年金額を概算するための計算用シートである。遺族厚生年金は保険加入期間が３００月未満の場合と３００月以上の場合で計算方法が異なるため、遺族厚生年金計算欄もそれに対応し３００月未満用遺族厚生年金計算欄５５と３００月以上用遺族厚生年金計算欄５６を有する。使用者は自己の厚生年金保険の加入月が３００月未満であるか、３００月以上であるかによって使用する計算欄を選択する。以下、各欄及び使用方法について説明する。【００１４】  ３００月未満用遺族厚生年金計算欄５５は、老齢厚生年金予想金額記入欄５７と、保険加入期間記入欄５８と、予想遺族厚生年金記入欄５９を含む。ねんきん定期便に記載された数値を老齢厚生年金予想金額記入欄５７と保険加入期間記入欄５８に数値を記入し、計算式に代入することによって得られた金額を予想遺族厚生年金記入欄５９に記入する。３００月以上用遺族厚生年金計算欄５６は老齢厚生年金予想金額記入欄６０と予想遺族厚生年金記入欄６１を含む。ねんきん定期便に記載された数値を老齢厚生年金予想金額記入欄６０に数値を記入し、計算式に代入することによって得られた金額を予想遺族厚生年金記入欄６１に記入する。【００１５】  第４考案は、男性が死亡した場合に、遺族であるその妻に対して支払われる遺族年金の支払期間、支払金額を見やすく表したことを特徴とする男性死亡時遺族年金記入シートである。原則として遺族基礎年金は子が１８歳となるまで支払われるため、子の年齢が１８歳となった場合に対応して、妻つまり母親の年齢を記入できるようにしており、子が１８歳になるまでに支払われる遺族年金額を見やすくしている。以下、使用方法について説明する。【００１６】  まず現在の子の年齢を子年齢記入欄６２に記入する。また母親年齢記入欄６３に現在の母親の年齢と、子の年齢が１８歳となったときの母親の年齢を記入する。子が２人以上いる場合にはそれぞれの子が１８歳となったときの年齢を記入する。遺族基礎年金額記入欄６４には、第１子が１８歳となるまでに支払われる遺族基礎年金額を記入し、遺族基礎年金額記入欄６５には、第１子が１８歳となった後、第２子が１８歳となるまでの遺族基礎年金額を記入し、遺族基礎年金額記入欄６６には、第２子が１８歳となった後、第３子が１８歳となるまでの遺族基礎年金額を記入する。第２子、第３子がない場合には、空欄としておく。また遺族厚生年金額記入欄６７には、予測遺族厚生年金額を記入する。このように全ての欄を記入すると、母親の年齢に応じて支払われる遺族年金額が分かりやすい。母親の年齢記入欄に、老齢基礎年金受給年齢及び平均死亡年齢を記入しておくと、生涯に亘り支払われる年金の総額を計算することもできる。【００１７】  第５考案は、女性の、現在から死亡するまでに必要な支出額を計算するための計算用シートである。以下、各欄及び使用方法について説明する。【００１８】  母親平均余命記入欄６８は、女性の平均死亡年齢から現在の年齢を差し引いた年齢を記入する。父親死亡時住居費計算欄６９は、賃貸住宅費計算欄７０と持家住宅費計算欄７１を含み、記入欄に数値を記入し、計算式に代入の結果、得られた金額を住居費合計金額記入欄７２に記入する。実際の住居形態によって使用する計算欄を賃貸住宅費計算欄７０と持家住宅費計算欄７１のいずれか一方を選択して使用する。父親死亡時生活費計算欄７３は、夫つまり父親が死亡後にかかる生活費を計算するための欄であり、養育する子の有無によって生活費が大きく変化することから、それに対応して、養育する子がある場合用計算欄７４と、子が成人後計算欄７５とを、含む。それぞれの計算欄の記入欄に数値を記入し、計算式に代入することによって得られた金額の和を生活費合計金額記入欄７６に記入する。自動車旅行代等計算欄７７は、生涯に亘って必要となる自動車購入や予定される旅行代を計算するための計算欄であり、自動車購入費計算欄７８と旅行代計算欄７９を含む。それぞれの計算欄の記入欄に数値を記入し、計算式に代入することによって得られた金額の和を自動車旅行代等合計金額記入欄８０に記入する。住居費合計金額記入欄７２、生活費合計金額記入欄７６、教育費記入欄８１、自動車旅行代等合計金額記入欄８０、葬儀代記入欄８２の、各記入欄に記入された金額の合計金額が生涯予定支出となり、この金額を合計金額記入欄８３に記入する。【００１９】  第６考案は、女性の、現在から死亡するまでの生涯予定収入を計算するための計算用シートである。以下、各欄及び使用方法について説明する。【００２０】  遺族年金計算欄８４は、遺族年金を計算するため欄であり、遺族基礎年金計算欄８５、遺族厚生年金計算欄８６、中高齢寡婦加算計算欄８７を含む。それぞれの記入欄に数値を記入し、計算式に代入することによって得られる金額の合計を遺族年金額記入欄８８に記入する。老齢基礎年金記入欄８９には、年毎老齢基礎年金額に２２を掛け合わせた金額を記入する。母親収入記入欄９０には、月毎の収入金額を１２倍した金額に働く予定期間を掛け合わせた数値を記入する。遺族年金額記入欄８８、老齢基礎年金記入欄８９、父親死亡退職金記入欄９２、母親収入記入欄９０、貯蓄額記入欄９２−２、その他収入記入欄９３、に記入された各金額の合計が生涯予定収入となり、この金額を合計金額記入欄９１に記入する。【００２１】  第７考��は、希望する死亡保険の種別を明確にするための記入シートである。以下、各欄及び使用方法について説明する。【００２２】  ９４は見出し欄であり、被保険者、目的、保険の種類、保険期間、保険金、保険料の支払い方法及び期間、検討保険会社及び保険料の見出しが記載されている。９５は記入欄であり、記入できるように空白にするか、あらかじめ選択欄を設けておく。家族で保険の検討をする場合などには、並べて検討できることから、無駄のない保険の調べることができる。【００２３】  第８考案は請求項１乃至請求項７の考案の複数のシートから、必要な保険を調べるための計算用シートである。第１考案から第７考案を全て組み合わせることによって適切な保険の計算ができる。まず請求項１記載の現状記入シートに現況をすべて記入する。そして請求項２記載の遺族年金給付可否早見表で遺族年金の給付の可否を確認し、遺族厚生年金の給付がある場合には、請求項３記載の遺族厚生年金計算シートによって遺族厚生年金額を計算し、請求項４記載の男性死亡時遺族年金記入シートを利用して遺族年金額と期間を計算する。上記現状記入シート、上記遺族厚生年金計算シート、上記男性死亡時遺族年金記入シートによって計算した金額を請求項６の女性用生涯予定収入計算用シートに記入することで生涯予定収入を計算することができる。また上記現状記入シートに記載の金額の一部を請求項５記載の女性用生涯予定支出計算用シートに記入することにより、生涯予定支出を計算することができる。上記生涯予定収入から生涯予定出を差し引いた金額が必要な保険金額となり、この金額を請求項７記載の希望記入表に記入することにより、適切な保険を調べることができる。
【符号の説明】
【００２４】１    本体シート
２    家族構成記入欄
３    現在の収入記入欄
４    年間手取合計記入欄
５    年間手取総合計記入欄
６    貯蓄額記入欄
７    年間貯蓄額計算欄
８    月毎貯蓄額記入欄
９    賞与貯蓄記入欄
１０  年間貯蓄額記入欄
１１  ローン状況記入欄
１２  総返済額計算欄
１３  利息負担額計算欄
１４  年間返済額記入欄
１５  借入期間記入欄
１６  総返済額記入欄
１７  総返済額記入欄
１８  当初借入金額記入欄
１９  利息負担額記入欄
２０  月毎支出記入欄
２１  月単位の支出記入欄
２２  年単位の支出記入欄
２３  生活費記入欄
２４  水道光熱費記入欄
２５  通信費記入欄
２６  交通費記入欄
２７  健康医療費記入欄
２８  教育費記入欄
２９  住居費記入欄
３０  その他ローン代記入欄
３１  保険料記入欄
３２  その他金額記入欄
３２−２  健康医療費記入欄
３３  教育費記入欄
３４  住居費記入欄
３５  その他ローン記入欄
３６  保険料記入欄
３７  その他金額記入欄
３８  年毎支出記入欄
３９  生活費記入欄
４０  教育費記入欄
４１  住居費記入欄
４２  保険料記入欄
４３  その他ローン記入欄
４４  その他金額記入欄
４５  使途明瞭金額記入欄
４６  使途不明金額記入欄
４７  年間支出合計金額記入欄
４８  男性死亡時遺族年金給付可否早見表
４９  ２号被保険者用フローチャート
５０  １号被保険者用フローチャート
５１  ２号被保険者用フローチャート
５１−２  １号被保険者用フローチャート
５２  フローチャートの最後の項目欄
５３  フローチャートの最後の項目欄
５４  女性死亡時遺族年金給付可否早見表
５５  ３００月未満用遺族厚生年金計算欄
５６  ３００月以上用遺族厚生年金計算欄
５７  老齢厚生年金予想金額記入欄
５８  保険加入期間記入欄
５９  予想遺族厚生年金記入欄
６０  老齢厚生年金予想金額記入欄
６１  予想遺族厚生年金記入欄
６２  子年齢記入欄
６３  母親年齢記入欄
６４  遺族基礎年金額記入欄
６５  遺族基礎年金額記入欄
６６  遺族基礎年金額記入欄
６７  遺族厚生年金額記入欄
６８  母親平均余命記入欄
６９  父親死亡時住居費計算欄
７０  賃貸住宅費計算欄
７１  持家住宅費計算欄
７２  住居費合計金額記入欄
７３  父親死亡時生活費計算欄
７４  養育する子がある場合用計算欄
７５  子が成人後計算欄
７６  生活費合計金額記入欄
７７  自動車旅行代等計算欄
７８  自動車購入費計算欄
７９  旅行代計算欄
８０  自動車旅行代等合計金額記入欄
８１  教育費記入欄
８２  葬儀代記入欄
８３  合計金額記入欄
８４  遺族年金計算欄
８５  遺族基礎年金計算欄
８６  遺族厚生年金計算欄
８７  中高齢寡婦加算計算欄
８８  遺族年金額記入欄
８９  老齢基礎年金記入欄
９０  母親収入記入欄
９１  合計金額記入欄
９２  父親死亡退職金記入欄
９２−２  貯蓄額記入欄
９３  その他収入記入欄
９４  見出し欄
９５  記入欄
【図１】
0003184870.tif 000003
【図２】
0003184870.tif 000004
【図３】
0003184870.tif 000005
【図４】
0003184870.tif 000006
【図５】
0003184870.tif 000007
【図６】
0003184870.tif 000008
【図７】
0003184870.tif 000009
【図８】
0003184870.tif 000010
【図９】
0003184870.tif 000011
【図１０】
0003184870.tif 000012
【図１１】
0003184870.tif 000013
【手続補正書】
【提出日】平成25年5月20日(2013.5.20)
【手続補正１】
【補正対象書類名】実用新案登録請求の範囲
【補正対象項目名】全文
【補正方法】変更
【補正の内容】
【実用新案登録請求の範囲】
【請求項１】
複数枚のシートのうち、1枚目のシートの上から順に、家族構成記入欄、現在の収入記入欄、貯蓄額記入欄、２枚目のシートの上から順に、年間貯蓄額計算欄、ローン記入欄、３枚目のシートの中央に月毎支出記入欄、４枚目のシートの中央に年毎支出記入欄、の各欄を含むことを特徴とする現状記入シートと、
男女別及び国民年金被保険者の各号別に分かれた遺族年金給付可否早見表であって、上から順に１８歳未満の未婚の子の有無、配偶者の有無、の各項目欄を設け、その下部に左から順に配偶者の年齢、同居親の年齢、保険料納付期間、の各項目欄を設け、該項目欄の下部に矢印を有するフローチャートによって表されたことを特徴とする、遺族年金給付可否早見表と、
本体シートの中央に遺族厚生年金計算欄を有し、上記遺族厚生年金計算欄内に左から順に老齢厚生年金予想金額記入欄と、予想厚生遺族年金記入欄とを、含むこと特徴とする遺族厚生年金計算用シートと、
本体シートに、上から順に、遺族基礎年金額記入欄と、遺族厚生年金額記入欄と、母親年齢記入欄と、子年齢記入欄とを、有する遺族年金記入シートであって、上記母親年齢記入欄と、国民年金額記入欄は、子の年齢が１８歳時となった場合と対応していることを特徴とする、男性死亡時遺族年金記入シートと、
本体シートに、上から順に、母親平均余命記入欄と、父親死亡時住居費計算欄と、父親死亡時生活費計算欄と、教育費記入欄と、自動車旅行代等計算欄と、葬儀代記入欄と、合計金額記入欄とを、含むことを特徴とする、女性用生涯予定支出計算用シートと、
本体シートに、上から順に、遺族年金計算欄と、老齢基礎年金記入欄と、父親死亡退職金記入欄と、母親収入記入欄と、貯蓄額記入欄と、その他収入記入欄と、合計金額記入欄とを、含むことを特徴とする、女性用生涯予定収入計算用シートと、
縦方向及び横方向の罫線からなる表で、左端の列に、被保険者、目的、保険の種類、保険期間、保険金、保険料の支払い方法及び期間、検討保険会社及び保険料、の各見出しが上から順に記載され、各見出しに対応した記載欄又は選択欄を有することを特徴とする死亡保険の希望記入表と
からなる必要保険計算用シート。
【請求項２】
複数枚のシートのうち、1枚目のシートの上から順に、家族構成記入欄、現在の収入記入欄、貯蓄額記入欄、２枚目のシートの上から順に、年間貯蓄額計算欄、ローン記入欄、３枚目のシートの中央に月毎支出記入欄、４枚目のシートの中央に年毎支出記入欄、の各欄を含むことを特徴とする現状記入シート。
【請求項３】
男女別及び国民年金被保険者の各号別に分かれた遺族年金給付可否早見表であって、上から順に１８歳未満の未婚の子の有無、配偶者の有無、の各項目欄が設けられ、その下部に左から順に配偶者の年齢、同居親の年齢、保険料納付期間、の各項目欄が設けられ、該項目欄の下部に矢印を有するフローチャートによって表されたことを特徴とする、遺族年金給付可否早見表。
【請求項４】
本体シートの中央に遺族厚生年金計算欄を有し、上記遺族厚生年金計算欄内に左から順に老齢厚生年金予想金額記入欄と、予想厚生遺族年金記入欄とを、含むこと特徴とする遺族厚生年金計算用シート。
【請求項５】
本体シートに、上から順に、遺族基礎年金額記入欄と、遺族厚生年金額記入欄と、母親年齢記入欄と、子年齢記入欄とを、有する遺族年金記入シートであって、上記母親年齢記入欄と、国民年金額記入欄は、子の年齢が１８歳時となった場合と対応していることを特徴とする、男性死亡時遺族年金記入シート。
【請求項６】
本体シートに、上から順に、母親平均余命記入欄と、父親死亡時住居費計算欄と、父親死亡時生活費計算欄と、教育費記入欄と、自動車旅行代等計算欄と、葬儀代記入欄と、合計金額記入欄とを、含むことを特徴とする、女性用生涯予定支出計算用シート。
【請求項７】
本体シートに、上から順に、遺族年金計算欄と、老齢基礎年金記入欄と、父親死亡退職金記入欄と、母親収入記入欄と、貯蓄額記入欄と、その他収入記入欄と、合計金額記入欄とを、含むことを特徴とする、女性用生涯予定収入計算用シート。
【請求項８】
縦方向及び横方向の罫線からなる表で、左端の列に、被保険者、目的、保険の種類、保険期間、保険金、保険料の支払い方法及び期間、検討保険会社及び保険料、の各見出しが上から順に記載され、各見出しに対応した記載欄又は選択欄を有することを特徴とする死亡保険の希望記入表。
【手続補正３】
【補正対象書類名】明細書
【補正対象項目名】全文
【補正方法】変更
【補正の内容】
【考案の詳細な説明】
【技術分野】
【０００１】
本考案は、適切な生命保険の種別、必要金額を計算するための計算用シートに関するものである。
【背景技術】
【０００２】
生命保険は、加入する年金機構や労働条件等の様々な要因によって適切に加入を検討すべきであるが、加入を決定すべき要因が多数かつ複雑であり、その計算には多くの時間と労力を有する。
【考案の概要】
【考案が解決しようとする課題】
【０００３】
本考案は、個々の事情に合わせて、適切な生命保険の種別、必要金額を計算することを目的とする。
【課題を解決するための手段】
【０００４】
本考案は、家族構成、加入している年金の種別から遺族年金の金額を予測し、現状の収入、貯蓄、支出と予測した遺族年金の金額から、生涯支出と生涯収入を概算できる。この計算の結果、得られた金額によって適切な生命保険の種別や必要な保険金額を知ることができることを特徴とする。
【考案の効果】
【０００５】
必要事項を記入し、計算式によって計算することにより、簡単に遺族年金額を概算でき、生涯支出と生涯収入も概算できる。このことにより、必要な生命保険の種別、保険金額を知ることができ、無駄な生命保険の加入を防止できる。
【図面の簡単な説明】
【０００６】
【図１】第１考案及び第２考案の現状記入シートの１頁目の全体正面図である。
【図２】第１考案及び第２考案の現状記入シートの２頁目の全体正面図である。
【図３】第１考案及び第２考案の現状記入シートの３頁目の全体正面図である。
【図４】第１考案及び第２考案の現状記入シートの４頁目の全体正面図である。
【図５】第１考案及び第３考案の男性死亡時遺族年金給付可否早見表４８の全体正面図である。
【図６】第１考案及び第３考案の女性死亡時遺族年金給付可否早見表５４の全体正面図である。
【図７】第１考案及び第４考案の遺族厚生年金計算用シートの全体正面図である。
【図８】第１考案及び第５考案の男性死亡時遺族年金記入シートの全体正面図である。
【図９】第１考案及び第６考案の女性用生涯予定支出計算用シートの全体正面図である。
【図１０】第１考案及び第７考案の女性用生涯予定収入計算用シートの全体正面図である。
【図１１】第１考案及び第８考案の死亡保険の希望記入表の全体正面図である。
【考案を実施するための形態】
【０００７】
以下図示された実施例に基づいて説明する。
【実施例】
【０００８】
第１考案は、必要な保険を調べるための計算用シートである。まず現状記入シートに現況をすべて記入する。そして請遺族年金給付可否早見表で遺族年金の給付の可否を確認し、遺族厚生年金の給付がある場合には、遺族厚生年金計算シートによって遺族厚生年金額を計算し、男性死亡時遺族年金記入シートを利用して遺族年金額と期間を計算する。上記現状記入シート、上記遺族厚生年金計算シート、上記男性死亡時遺族年金記入シートによって計算した金額を女性用生涯予定収入計算用シートに記入することで生涯予定収入を計算することができる。また上記現状記入シートに記載の金額の一部を女性用生涯予定支出計算用シートに記入することにより、生涯予定支出を計算することができる。上記生涯予定収入から生涯予定出を差し引いた金額が必要な保険金額となり、この金額を希望記入表に記入することにより、適切な保険を調べることができる。以下、各シート及び表について説明する。
【０００９】
現状記入シートは複数頁のシートに現状の家族構成、収入、支出、貯蓄、ローンをまとめて記入し、一元管理できることを特徴とする。実施例においては４頁に亘って表示しているが、４頁を２つに分けて２枚のシートに表示することも可能である。各記入欄の配置は用途に合わせて自由に変更することが可能である。以下、各欄及び使用方法について説明する。
【００１０】
家族構成記入欄２は、現状の家族構成を記入する欄であり、氏名、生年月日、年齢、職業、の各記入欄を含む。現在の収入記入欄３は、家庭単位での年収を記入する欄であり、税込年収、月毎手取金額、賞与、年間手取合計記入欄４、年間手取総合計記入欄５を含む。ここで手取金額とは、収入から年金保険料、健康保険料、介護保険料、雇用保険料、所得税、住民税を除いた金額をいう。年間手取合計記入欄４には月毎手取金額を１２倍した金額と賞与金額とを合計した金額を記入する。年間手取総合計記入欄５には、年間手取合計記入欄４の合計を記入する。貯蓄額記入欄６は、家庭の資産を記入する欄であり、氏名、預金額、積立資金、債券、投資信託、外貨建て資産、の各見出し欄とそれぞれに対応した金額記入欄を含む。年間貯蓄額計算欄７は、１年間の貯蓄金額を記入する欄であり、月毎貯蓄額記入欄８、賞与貯蓄記入欄９、年間貯蓄額記入欄１０を含む。月毎貯蓄額記入欄８に記入した金額を１２倍した金額と、賞与貯蓄記入欄９に記入した金額とを合計した金額を年間貯蓄額記入欄１０に記入する。ローン状況記入欄１１は、現在の借入金の状況を記入する欄であり、ローン種別、借入時期、借入期間、借入金額及び金利、の各記入欄と、総返済額計算欄１２と、利息負担額計算欄１３と、を含む。総返済額計算欄１２は、年間返済額記入欄１４、借入期間記入欄１５及び総返済額記入欄１６を含み、利息負担額計算欄１３は、総返済額記入欄１７、当初借入金額記入欄１８及び利息負担額記入欄１９を含む。年間返済額記入欄１４と借入期間記入欄１５に数値を記入し、計算式に代入の結果、得られた金額を総返済額記入欄１６に記入する。
【００１１】
月毎支出記入欄２０は、月単位の支出記入欄２１と年単位の支出記入欄２２に分けて記入できるようになっており、月単位の支出記入欄２１には、必ず毎月かかる支出を記入し、年単位の支出記入欄には、それ以外の支出金額を記入する。月単位の支出記入欄２１には、生活費記入欄２３、水道光熱費記入欄２４、通信費記入欄２５、交通費記入欄２６、健康医療費記入欄２７、教育費記入欄２８、住居費記入欄２９、その他ローン代記入欄３０、保険料記入欄３１及びその他金額記入欄３２を含み、これらはすべて合計金額記入欄を有する。生活費記入欄２３には、食費、雑費及び小遣い費等の各記入欄が、水道光熱費記入欄２４には、電気代、ガス代及び水道代の各記入欄が、通信費記入欄２５には、電話代と新聞代等の各記入欄が、交通費記入欄２６には、電車代とガソリン代の各記入欄が、健康医療費記入欄２７には、医療費と健康維持費の各記入欄が、教育費記入欄２８には、学校教育費と塾代等の各記入欄が、住居費記入欄２９には、家賃と駐車場代の各記入欄が、その他ローン代記入欄３０には、カーローン代と奨学金返済金額の各記入欄が、保険料記入欄３１には、氏名と保険料の各記入欄が、それぞれ含まれる。年単位の支出記入欄には、健康医療費記入欄３２−２、教育費記入欄３３、住居費記入欄３４、その他ローン記入欄３５、保険料記入欄３６及びその他金額記入欄３７を含み、それぞれの記入欄は、月単位の支出記入欄２１と同様の各記入欄を含む。年毎支出記入欄３８は１年間の合計支出を記入する欄であり、生活費記入欄３９、教育費記入欄４０、住居費記入欄４１、保険料記入欄４２、その他ローン記入欄４３、その他金額記入欄４４、使途明瞭金額記入欄４５、使途不明金額記入欄４６及び年間支出合計金額記入欄４７を含む。生活費記入欄２３、水道光熱費記入欄２４、通信費記入欄２５、交通費記入欄２６及び健康医療費記入欄２７、の各合計金額を１２倍した金額と健康医療費記入欄３２の合計金額を生活費記入欄３９に、教育費記入欄２８の合計金額を１２倍した金額と教育費記入欄３３との合計金額を教育費記入欄４０に、住居費記入欄２９の合計金額を１２倍した金額と住居費記入欄３４との合計金額を住居費記入欄４１に、保険料記入欄３１の合計金額を１２倍した金額と保険料記入欄３６との合計金額を保険料記入欄４２に、その他ローン代記入欄３０の合計金額を１２倍した金額とその他ローン記入欄３５との合計金額をその他ローン記入欄４３に、その他金額記入欄３２の合計金額を１２倍した金額とその他金額記入欄３７との合計金額をその他金額記入欄４４に、生活費記入欄３９、教育費記入欄４０、住居費記入欄４１、保険料記入欄４２、その他ローン記入欄４３及びその他金額記入欄４４の合計金額を使途明瞭金額記入欄４５に、それぞれ記入する。年間手取総合計記入欄５に記入した金額から年間貯蓄額記入欄１０と使途明瞭金額記入欄４５に記入した金額の和を引いた金額を使途不明金額記入欄４６に記入する。使途明瞭金額記入欄４５と使途不明金額記入欄４６との合計金額が年間支出合計金額となり、年間支出合計金額記入欄４７に記入する。
【００１２】
遺族年金給付可否早見表は、遺族年金の給付の可否を、死亡者が男性の場合と女性の場合に分けて、フローチャートによって表したものである。遺族年金給付の可否だけでなく年金の種別まで判別できる。以下、各欄及び使用方法について説明する。
【００１３】
男性死亡時遺族年金給付可否早見表４８は、２号被保険者用フローチャート４９、１号被保険者用フローチャート５０から成る。ここで２号被保険者用フローチャートとは、一般的な会社員又は公務員の加入する国民年金第２号被保険者が利用するフローチャートを意味し、１号被保険者用フローチャートとは、自営業者の多くが加入する国民年金第１号被保険者が利用するフローチャートを意味する。死亡者が国民年金３号被保険者である場合に、遺族年金をもらえる場合はないため、フローチャートは２種類のみとなる。２号被保険者用フローチャート４９では、死亡者に１８歳未満の未婚の子の有無によって進む項目欄が異なり、上記子がある場合には、死亡者の妻の有無によって進む項目欄が変わる。上記子がない場合には、妻の有無によって進む項目欄が変わり、さらに妻がある場合には、妻の年齢によって進む項目欄が異なる。上記子がなく、さらに妻がない場合には、同居する親の年齢によって進む項目欄が変わる。フローチャートの最後の項目欄５２には、遺族年金給付の可否、もらえる遺族年金の種別が記載されている。１号被保険者用フローチャート５０では、１８歳未満の未婚の子の有無によって進む項目欄が異なり、上記子がある場合には、妻の有無によって進む項目が異なる。上記子がない場合には、保険料納付期間によって進む項目が異なる。フローチャートの最後の項目欄５３には、遺族年金給付の可否、もらえる遺族年金の種別が記載されている。女性死亡時遺族年金給付可否早見表５４は、男性死亡時遺族年金給付可否早見表と同様に２号被保険者用フローチャートと１号被保険者用フローチャートから成る。２号保険者用フローチャートは、死亡者に１８歳未満の未婚の子の有無によって進む項目欄が異なり、上記子がある場合には、死亡者の夫の有無によって進む項目欄が異なる。上記子がない場合には、夫又は同居の親の年齢によって進む項目欄が異なる。フローチャートの最後の項目欄には、遺族年金給付の可否、もらえる遺族年金の種別が記載されている。
【００１４】
遺族厚生年金計算用シートは、ねんきん定期便に記載されている事項から、遺族厚生年金額を概算するための計算用シートである。遺族厚生年金は保険加入期間が３００月未満の場合と３００月以上の場合で計算方法が異なるため、遺族厚生年金計算欄もそれに対応し３００月未満用遺族厚生年金計算欄５５と３００月以上用遺族厚生年金計算欄５６を有する。使用者は自己の厚生年金保険の加入月が３００月未満であるか、３００月以上であるかによって使用する計算欄を選択する。以下、各欄及び使用方法について説明する。
【００１５】
３００月未満用遺族厚生年金計算欄５５は、老齢厚生年金予想金額記入欄５７と、保険加入期間記入欄５８と、予想遺族厚生年金記入欄５９を含む。ねんきん定期便に記載された数値を老齢厚生年金予想金額記入欄５７と保険加入期間記入欄５８に数値を記入し、計算式に代入することによって得られた金額を予想遺族厚生年金記入欄５９に記入する。３００月以上用遺族厚生年金計算欄５６は老齢厚生年金予想金額記入欄６０と予想遺族厚生年金記入欄６１を含む。ねんきん定期便に記載された数値を老齢厚生年金予想金額記入欄６０に数値を記入し、計算式に代入することによって得られた金額を予想遺族厚生年金記入欄６１に記入する。
【００１６】
男性死亡時遺族年金記入シートは、男性が死亡した場合に、遺族であるその妻に対して支払われる遺族年金の支払期間、支払金額を見やすく表したことを特徴とするシートである。原則として遺族基礎年金は子が１８歳となるまで支払われるため、子の年齢が１８歳となった場合に対応して、妻つまり母親の年齢を記入できるようにしており、子が１８歳になるまでに支払われる遺族年金額を見やすくしている。以下、使用方法について説明する。
【００１７】
まず現在の子の年齢を子年齢記入欄６２に記入する。また母親年齢記入欄６３に現在の母親の年齢と、子の年齢が１８歳となったときの母親の年齢を記入する。子が２人以上いる場合にはそれぞれの子が１８歳となったときの年齢を記入する。遺族基礎年金額記入欄６４には、第１子が１８歳となるまでに支払われる遺族基礎年金額を記入し、遺族基礎年金額記入欄６５には、第１子が１８歳となった後、第２子が１８歳となるまでの遺族基礎年金額を記入し、遺族基礎年金額記入欄６６には、第２子が１８歳となった後、第３子が１８歳となるまでの遺族基礎年金額を記入する。第２子、第３子がない場合には、空欄としておく。また遺族厚生年金額記入欄６７には、予測遺族厚生年金額を記入する。このように全ての欄を記入すると、母親の年齢に応じて支払われる遺族年金額が分かりやすい。母親の年齢記入欄に、老齢基礎年金受給年齢及び平均死亡年齢を記入しておくと、生涯に亘り支払われる年金の総額を計算することもできる。
【００１８】
女性用生涯予定支出計算用シートは、女性の、現在から死亡するまでに必要な支出額を計算するための計算用シートである。以下、各欄及び使用方法について説明する。
【００１９】
母親平均余命記入欄６８は、女性の平均死亡年齢から現在の年齢を差し引いた年齢を記入する。父親死亡時住居費計算欄６９は、賃貸住宅費計算欄７０と持家住宅費計算欄７１を含み、記入欄に数値を記入し、計算式に代入の結果、得られた金額を住居費合計金額記入欄７２に記入する。実際の住居形態によって使用する計算欄を賃貸住宅費計算欄７０と持家住宅費計算欄７１のいずれか一方を選択して使用する。父親死亡時生活費計算欄７３は、夫つまり父親が死亡後にかかる生活費を計算するための欄であり、養育する子の有無によって生活費が大きく変化することから、それに対応して、養育する子がある場合用計算欄７４と、子が成人後計算欄７５とを、含む。それぞれの計算欄の記入欄に数値を記入し、計算式に代入することによって得られた金額の和を生活費合計金額記入欄７６に記入する。自動車旅行代等計算欄７７は、生涯に亘って必要となる自動車購入や予定される旅行代を計算するための計算欄であり、自動車購入費計算欄７８と旅行代計算欄７９を含む。それぞれの計算欄の記入欄に数値を記入し、計算式に代入することによって得られた金額の和を自動車旅行代等合計金額記入欄８０に記入する。住居費合計金額記入欄７２、生活費合計金額記入欄７６、教育費記入欄８１、自動車旅行代等合計金額記入欄８０、葬儀代記入欄８２の、各記入欄に記入された金額の合計金額が生涯予定支出となり、この金額を合計金額記入欄８３に記入する。
【００２０】
女性用生涯予定収入計算用シートは、女性の、現在から死亡するまでの生涯予定収入を計算するための計算用シートである。以下、各欄及び使用方法について説明する。
【００２１】
遺族年金計算欄８４は、遺族年金を計算するため欄であり、遺族基礎年金計算欄８５、遺族厚生年金計算欄８６、中高齢寡婦加算計算欄８７を含む。それぞれの記入欄に数値を記入し、計算式に代入することによって得られる金額の合計を遺族年金額記入欄８８に記入する。老齢基礎年金記入欄８９には、年毎老齢基礎年金額に２２を掛け合わせた金額を記入する。母親収入記入欄９０には、月毎の収入金額を１２倍した金額に働く予定期間を掛け合わせた数値を記入する。遺族年金額記入欄８８、老齢基礎年金記入欄８９、父親死亡退職金記入欄９２、母親収入記入欄９０、貯蓄額記入欄９２−２、その他収入記入欄９３、に記入された各金額の合計が生涯予定収入となり、この金額を合計金額記入欄９１に記入する。
【００２２】
死亡保険の希望記入表は、希望する死亡保険の種別を明確にするための記入シートである。以下、各欄及び使用方法について説明する。
【００２３】
９４は見出し欄であり、被保険者、目的、保険の種類、保険期間、保険金、保険料の支払い方法及び期間、検討保険会社及び保険料の見出しが記載されている。９５は記入欄であり、記入できるように空白にするか、あらかじめ選択欄を設けておく。家族で保険の検討をする場合などには、並べて検討できることから、無駄のない保険の調べることができる。
【００２４】
第２考案は請求項１記載の必要保険計算用シートの一部である現状記入シートである。
【００２５】
第３考案は請求項１記載の必要保険計算用シートの一部である遺族年金給付可否早見表である。
【００２６】
第４考案は請求項１記載の必要保険計算用シートの一部である遺族厚生年金計算用シートである。
【００２７】
第５考案は請求項１記載の必要保険計算用シートの一部である男性死亡時遺族年金記入シートである。
【００２８】
第６考案は請求項１記載の必要保険計算用シートの一部である女性用生涯予定支出計算用シートである。
【００２９】
第７考案は請求項１記載の必要保険計算用シートの一部である女性用生涯予定収入計算用シートである。
【００３０】
第８考案は請求項１記載の必要保険計算用シートの一部である死亡保険の希望記入表である。
【符号の説明】
【００３１】
１    本体シート
２    家族構成記入欄
３    現在の収入記入欄
４    年間手取合計記入欄
５    年間手取総合計記入欄
６    貯蓄額記入欄
７    年間貯蓄額計算欄
８    月毎貯蓄額記入欄
９    賞与貯蓄記入欄
１０  年間貯蓄額記入欄
１１  ローン状況記入欄
１２  総返済額計算欄
１３  利息負担額計算欄
１４  年間返済額記入欄
１５  借入期間記入欄
１６  総返済額記入欄
１７  総返済額記入欄
１８  当初借入金額記入欄
１９  利息負担額記入欄
２０  月毎支出記入欄
２１  月単位の支出記入欄
２２  年単位の支出記入欄
２３  生活費記入欄
２４  水道光熱費記入欄
２５  通信費記入欄
２６  交通費記入欄
２７  健康医療費記入欄
２８  教育費記入欄
２９  住居費記入欄
３０  その他ローン代記入欄
３１  保険料記入欄
３２  その他金額記入欄
３２−２  健康医療費記入欄
３３  教育費記入欄
３４  住居費記入欄
３５  その他ローン記入欄
３６  保険料記入欄
３７  その他金額記入欄
３８  年毎支出記入欄
３９  生活費記入欄
４０  教育費記入欄
４１  住居費記入欄
４２  保険料記入欄
４３  その他ローン記入欄
４４  その他金額記入欄
４５  使途明瞭金額記入欄
４６  使途不明金額記入欄
４７  年間支出合計金額記入欄
４８  男性死亡時遺族年金給付可否早見表
４９  ２号被保険者用フローチャート
５０  １号被保険者用フローチャート
５１  ２号被保険者用フローチャート
５１−２  １号被保険者用フローチャート
５２  フローチャートの最後の項目欄
５３  フローチャートの最後の項目欄
５４  女性死亡時遺族年金給付可否早見表
５５  ３００月未満用遺族厚生年金計算欄
５６  ３００月以上用遺族厚生年金計算欄
５７  老齢厚生年金予想金額記入欄
５８  保険加入期間記入欄
５９  予想遺族厚生年金記入欄
６０  老齢厚生年金予想金額記入欄
６１  予想遺族厚生年金記入欄
６２  子年齢記入欄
６３  母親年齢記入欄
６４  遺族基礎年金額記入欄
６５  遺族基礎年金額記入欄
６６  遺族基礎年金額記入欄
６７  遺族厚生年金額記入欄
６８  母親平均余命記入欄
６９  父親死亡時住居費計算欄
７０  賃貸住宅費計算欄
７１  持家住宅費計算欄
７２  住居費合計金額記入欄
７３  父親死亡時生活費計算欄
７４  養育する子がある場合用計算欄
７５  子が成人後計算欄
７６  生活費合計金額記入欄
７７  自動車旅行代等計算欄
７８  自動車購入費計算欄
７９  旅行代計算欄
８０  自動車旅行代等合計金額記入欄
８１  教育費記入欄
８２  葬儀代記入欄
８３  合計金額記入欄
８４  遺族年金計算欄
８５  遺族基礎年金計算欄
８６  遺族厚生年金計算欄
８７  中高齢寡婦加算計算欄
８８  遺族年金額記入欄
８９  老齢基礎年金記入欄
９０  母親収入記入欄
９１  合計金額記入欄
９２  父親死亡退職金記入欄
９２−２  貯蓄額記入欄
９３  その他収入記入欄
９４  見出し欄
９５  記入欄